(57)【要約】【課題】ケーブルの漏電時の事故防止のための接地線路をケーブル支持装置と別途独立に設けることを不要にし、電気線路の施工性の向上と施工コストの低減を図ることができる。【解決手段】離間して設けられるバスダクト１０・１０間に架設され、ケーブル２０を支持する導電性の支持部材３０と、架設される支持部材３０の両側をバスダクト１０・１０のハウジングにそれぞれ固定する導電性の固定部材４０・４０とを備えるケーブル支持装置であり、固定部材４０・４０を支持部材３０とそれぞれ導通させて設置すると共に、固定部材４０・４０でバスダクト１０・１０の絶縁塗装を剥離してハウジング基材を露出させ、固定部材４０・４０をバスダクト４０・４０を接地されたハウジング基材にそれぞれ接触させて設置する。【選択図】図３
2008178231.tif 000002
【特許請求の範囲】
【請求項１】
ケーブルを支持する導電性の支持部材と、
該支持部材をバスダクトのハウジングに固定する固定部を構成する導電性の固定部材とを備え、
該固定部材を、該支持部材と導通させ、且つ該バスダクトの接地されるハウジング基材に接触させることを特徴とするケーブル支持装置。
【請求項２】
前記支持部材が、離間して設けられる前記バスダクトと別のバスダクトとの間に架設されると共に、
前記支持部材を前記別のバスダクトのハウジングに固定する別の固定部を構成する導電性の別の固定部材を備え、
該別の固定部材を、前記支持部材と導通させ、且つ該別のバスダクトの接地されるハウジング基材に接触させることを特徴とする請求項１記載のケーブル支持装置。
【請求項３】
前記固定部材を、前記バスダクトのハウジングの絶縁塗装を剥離するようにして該ハウジングに固定し、該バスダクトの露出したハウジング基材に接触させる、若しくは前記固定部材及び別の固定部材を、それぞれ前記バスダクト及び別のバスダクトのハウジングの絶縁塗装を剥離するようにして該ハウジングに固定し、それぞれ該バスダクト及び別のバスダクトの露出したハウジング基材に接触させることを特徴とする請求項１又は２記載のケーブル支持装置。
【請求項４】
請求項１〜３の何れかに記載のケーブル支持装置を備えることを特徴とする電気線路構造。
【発明の詳細な説明】
【技術分野】
【０００１】
本発明は、バスダクトに固定される支持部材でケーブルを支持するケーブル支持装置及び電気線路構造に関する。
【背景技術】
【０００２】
従来、バスダクトに固定される支持部材でケーブルを支持するケーブル支持装置がある。例えば特許文献１には、棒状の支持部材の両端をそれぞれ並列配置のバスダクトに固定部材を介して固定し、前記バスダクト間に支持部材を架設し、前記支持部材の上面に長手方向に沿って形成された溝に一対の仕切部材を設け、前記一対の仕切部材間に於いて前記支持部材上にケーブルを載置する構成が開示されている。
【０００３】
【特許文献１】特開２００２−９５１３０号公報
【発明の開示】
【発明が解決しようとする課題】
【０００４】
上記ケーブル支持装置は、バスダクトの取付具とケーブルの取付具の双方を天井面に取り付けなくともバスダクト及びケーブルの設置を行うことが可能であり、天井面の空調設備等を障害とせずに電気線路を設けることができる点で有益である。しかしながら、ケーブルの漏電時の事故防止のための接地線路をケーブル支持装置と別途独立に設ける必要があるため、電気線路の施工性に劣り、施工コストが高価になるという不具合がある。
【０００５】
本発明は上記不具合を解消するために提案するものであり、ケーブルの漏電防止のための接地線路をケーブル支持装置と別途独立に設けることを不要にし、電気線路の施工性の向上と施工コストの低減を図ることができるケーブル支持装置及び電気線路構造を提供することを目的とする。
【課題を解決するための手段】
【０００６】
本発明によるケーブル支持装置は、ケーブルを支持する導電性の支持部材と、該支持部材をバスダクトのハウジングに固定する固定部を構成する導電性の固定部材とを備え、該固定部材を、該支持部材と導通させ、且つ該バスダクトの接地されるハウジング基材に接触させることを特徴とする。前記支持部材は、例えば離間して設けられるバスダクト間に架設され、前記バスダクト間で載置されるケーブルを支持する棒状の部材とすると好適であるが、例えば単線で布設されるバスダクトに固定される短尺棒状の部材でケーブル支持位置の両側に移動規制部を有するもの等とすることも可能である。また、前記固定部は、例えば固定部材、ボルト、ナット等で構成することが好ましい。
【０００７】
本発明によるケーブル支持装置は、前記支持部材が、離間して設けられる前記バスダクトと別のバスダクトとの間に架設されると共に、前記支持部材を前記別のバスダクトのハウジングに固定する別の固定部を構成する導電性の別の固定部材を備え、該別の固定部材を、前記支持部材と導通させ、且つ該別のバスダクトの接地されるハウジング基材に接触させることを特徴とする。前記固定部材、別の固定部材は、例えばバスダクトと別のバスダクトの間側に設けると好適であるが、バスダクトを挟んで前記間側と逆側に設けることも可能である。
【０００８】
本発明によるケーブル支持装置は、前記固定部材を、前記バスダクトのハウジングの絶縁塗装を剥離するようにして該ハウジングに固定し、該バスダクトの露出したハウジング基材に接触させる、若しくは前記固定部材及び別の固定部材を、それぞれ前記バスダクト及び別のバスダクトのハウジングの絶縁塗装を剥離するようにして該ハウジングに固定し、それぞれ該バスダクト及び別のバスダクトの露出したハウジング基材に接触させることを特徴とする。
【０００９】
本発明によるケーブル支持装置は、前記固定部材を前記バスダクトと別のバスダクトの間で前記バスダクトとケーブル支持位置との間に配置し、該固定部材に該ケーブルの前記バスダクト方向への移動を規制可能な移動規制部を設け、前記別の固定部材を前記バスダクトと別のバスダクトの間で前記別のバスダクトとケーブル支持位置との間に配置し、該別の固定部材に該ケーブルの前記別のバスダクト方向への移動を規制可能な別の移動規制部を設けることを特徴とする。また、前記固定部材、別の固定部材に前記移動規制部、別の移動規制部を設ける構成に代え、バスダクト方向、別のバスダクト方向へのケーブルの移動をそれぞれ規制可能な移動規制部、別の移動規制部を有する保護部材、別の保護部材を、それぞれ前記固定部、別の固定部に設ける構成としてもよい。前記移動規制部、別の移動規制部は、例えば略垂直に立設する壁面や、略垂直方向に立設し、その上端からケーブル側へ屈曲する屈曲片を有する壁面や、上方へ向かってケーブル側に湾曲する湾曲面等とすることが可能である。また、前記バスダクトと別のバスダクトの両方向への移動を規制可能な移動規制部を固定部材若しくは保護部材に設ける構成としてもよく、前記両方向への移動規制部は、例えば支持部材の上面に沿って延びる底板からケーブル支持位置の両側で上方へ立設する壁面等とすることが可能である。
【００１０】
また、本発明による電気線路構造は、本発明によるケーブル支持装置を備えることを特徴とする。
【００１１】
また、本発明による電気線路構造の組立方法は、バスダクトを配設すると共に、ケーブルを支持する導電性の支持部材をバスダクトのハウジングに対して固定可能に配置する工程と、導電性の固定部材を、該支持部材と導通させて該支持部材に対して固定すると共に、該固定部材で該バスダクトの接地されるハウジング基材を絶縁塗装を剥離するようにして露出させ、該固定部材を該露出したハウジング基材に接触させて該バスダクトのハウジングに固定する工程と、該支持部材にケーブルを設置する工程とを備えることを特徴とする。好ましくは、前記固定部材を保護板、保護片など移動規制部を有する構成、或いは保護板、保護片など移動規制部を有する保護部材を前記固定部材と共に固定する構成とするとよい。
【００１２】
尚、本明細書に開示の発明には、各発明の部分的な構成を他の構成に変更したもの、或いは各発明の構成に他の構成を付加したもの、或いは各発明の部分的な構成を部分的な作用効果が得られる限度で削除して上位概念化したものも含まれる。
【発明の効果】
【００１３】
本発明は、ケーブル支持装置やバスダクトハウジングを有効利用し、導電性の支持部材と導電性の固定部材とバスダクトの接地されたハウジング基材とが接触する接地線路を設けることができる。従って、ケーブルの漏電時の事故防止のための接地線路をケーブル支持装置と別途独立に設けることが不要となり、電気線路の施工性の向上と施工コストの低減を図ることができる。また、既設のバスダクト幹線路にも、安全で安定性の高いケーブル幹線路を容易に付設することができ、容易に撤去することもできる。また、複数系統のバスダクト間にケーブルを設ける場合に、支持部材と固定部材と接地されたハウジング基材とで構成される接地線路をケーブルの両側に設けることで、感電など漏電時の事故防止や保安をより確実にすることができる。
【００１４】
また、固定部材を、バスダクトのハウジングの絶縁塗装を剥離するようにしてハウジングに固定し、接地されるハウジング基材に接触させることで、ケーブル支持装置の設置作業の中で接地線路を設けることが可能となり、作業を容易化し、一層施工性の向上と施工コストの低減を図ることができる。
【００１５】
また、移動規制部でケーブルのバスダクト方向への移動を規制し、ケーブルとバスダクトを区画することにより、バスダクトの熱によるケーブルの絶縁被覆の損傷や、ケーブルを布設する際のバスダクトとの接触によるケーブルの絶縁被覆の損傷を防止して、ケーブルを保護することができる。また、ケーブル布設時のケーブルのバスダクトへの接触に払う注意を軽減することができ、施工性が向上する。また、バスダクトとケーブルとの間の固定部材に移動規制部を設けることにより、固定部材を固定だけで簡単に移動規制部を設置することができる。
【００１６】
また、支持部材、固定部材、ハウジング基材で構成される接地線路を設けた後にケーブルを設置することで、作業の安全性を高めることができる。また、固定部材の固定に併せて移動規制部を設置する等、ケーブルの設置前に移動規制部を設けることにより、ケーブルを設置する際にケーブルのバスダクトへの接触に払う注意を軽減することができる。
【発明を実施するための最良の形態】
【００１７】
本発明に於ける実施形態のケーブル支持装置及びそのケーブル支持装置が設置される電気線路構造について説明する。
【００１８】
〔第１実施形態〕
第１実施形態のケーブル支持装置を図１〜図３を参照して説明する。図１は第１実施形態のケーブル支持装置にケーブルを布設した状態を示す図、図２はその固定部材を示す図、図３はその固定部材の固定前と固定後の状態を示す図である。
【００１９】
第１実施形態のケーブル支持装置は、水平方向に並列して布設された２系統のバスダクト１０・１０とケーブル２０とで構成される電気線路に設けられるものであり、離間するバスダクト１０・１０との間に、ケーブル２０を支持する棒状の支持部材３０がバスダクト１０の長手方向と直交するように架設され、バスダクト１０・１０間のバスダクト１０よりもケーブル２０側にそれぞれ配置される導電性の固定部材４０・４０を介して、支持部材３０とバスダクト１０・１０のハウジングが固定される。
【００２０】
バスダクト１０は、図１及び図３に示すように、複数のバスダクトユニット１１とバスダクトユニット１１・１１相互を電気的及び機械的に接続する接続部（図示せず）とで構成される。バスダクトユニット１１には、矩形板状の導体に絶縁被覆が施された絶縁被覆導体１２が３相で積層配置されており、絶縁被覆導体１２の幅方向両側に配置される一対の断面ロ字形のスペーサ１３・１３と、絶縁被覆導体１２の厚さ方向両側に配置される一対の側板１４・１４とで、ハウジングが構成されている。側板１４は、高強度の金属の表面に防錆塗装を施すなど、導電性のハウジング基材に相当する導電性の基材の表面に絶縁性の塗装が施されて形成されている。側板１４の形状は断面視略コ字形であり、略矩形の基板１４１と、基板１４１の幅方向両端縁を外方へ屈曲して延設された第１補強板１４２と、第１補強板１３２の外端縁を互いに向き合うように屈曲して延設された第２補強板１４３を有する。側板１４、スペーサ１３、絶縁被覆導体１２はボルト１５、ナット１６等の締着具で締着して一体化されており、側板１４・１４には絶縁被覆導体１２とスペーサ１３との間を通るようにボルト１５の軸部が貫通され、ボルト１５の軸部先端にナット１６が螺合され、ボルト１５及びナット１６の緊締により、積層された絶縁被覆導体１２及びスペーサ１３が基板１４１・１４１の内面で絶縁被覆導体１２の厚さ方向両側から挟持される。
【００２１】
バスダクトユニット１１の長手方向の端部では、側板１４に絶縁塗装から導電性の基材が露出した部分が形成されており、バスダクトユニット１１・１１の前記露出部分相互は前記接続部のカバー等を介して接続される。前記接続部のカバーは、例えば導電性の基材に絶縁塗装が施されており、前記側板１４の露出部分との接触箇所では絶縁塗装が剥離され若しくは絶縁塗装が施されないことで導電性の基材を露出され、前記側板１４の露出箇所と導通可能に接触する。また、バスダクトユニット１１の端部では３相の絶縁被覆導体１２がフォーク状に離間して配置されると共に、前記接続部内に各相を絶縁する絶縁セパレータを介して導電性接続部材が配置され、前記導電性接続部材を絶縁被覆導体１２の露出する先端に接触して、バスダクトユニット１１・１１の絶縁被覆導体１２・１２を電気的に接続する。
【００２２】
そして、バスダクト１０の適宜箇所に於いて、バスダクトユニット１１の側板１４の導電性基材、又は前記接続部のカバーの導電性基材が接地され、導通可能に接続された側板１４の導電性基材と前記接続部カバーの導電性基材、即ち、バスダクト１０の導電性のハウジング基材が接地される。尚、単体のバスダクトユニット１１でバスダクト１０を構成する場合には、その側板１４の導電性基材が接地される。
【００２３】
ケーブル２０は、例えば電力線、通信線等、導線を絶縁被覆したものであり、バスダクト１０・１０間にバスダクト１０の長手方向に沿って布設される。ケーブル２０は、後述する固定部材４０で固定される支持部材３０上に載置され、支持部材３０の上板３２の上面で支持される。
【００２４】
支持部材３０は、金属など導電性の素材で形成され、図１及び図３に示すように、上面に長手方向に沿って溝３１が形成された断面視略Ｃ字形のチャンネル部材であり、溝３１の両側に位置し、内方へ向かって傾斜する上板３２と、側板３３と、下板３４とを有する。溝３１は、後述の固定部材４０やボルト５１、ナット５２、ワッシャー５３で構成される取付具、即ち固定部の固定箇所を案内可能である。支持部材３０は、バスダクト１０の下側に配置され、その上板３２の上面をバスダクト１０の下側の第１補強板１４２及びスペーサ１３の下面と面接触するように配置されている。本例の支持部材３０は、離間して並列配置されているバスダクト１０・１０の両外端間の長さと略同一長さとし、その長手方向の両端を、離間して並列配置されているバスダクト１０・１０の両外端、即ち第１補強板１４２・１４２の両外端と略同一位置となるように配置されているが、支持部材３０の長さやその両端を配置する位置は、後述の固定部材４０・４０で支持部材３０をバスダクト１０・１０のハウジングに固定可能であれば適宜であり、例えば離間配置されている固定部材４０・４０間の距離と略同一長さとし、その両端を固定部材４０・４０の近傍に配置する等、コスト低減のために短尺化してもよい。
【００２５】
尚、所定箇所に設置される支持部材３０を他の箇所の支持部材３０よりも長尺の支持部材３０とし、前記長尺の支持部材３０の両端をバスダクト１０・１０の両外側にそれぞれ突出するように配置し、前記長尺の支持部材３０の両突出箇所にそれぞれ設けられる前記貫通穴に天井から吊り下げられる吊りボルトの下端を挿通すると共に、前記吊りボルトに螺合され前記長尺の支持部材３０を挟むように上下に配置される一対のナットを締め付け、水平方向に並設されるバスダクト１０・１０を定置する構成とすると好適である。前記構成により、バスダクト１０を吊り下げ支持する支持部材３０をケーブル２０を支持する支持部材３０として共用することができ、コスト低減を図ることができると共に、バスダクト１０を支持する支持部材３０と同一高さでケーブル２０を支持することができる。また、前記吊りボルトの構成以外にもバスダクト１０を天井面等に対して設置する構成は適宜である。
【００２６】
固定部材４０には、金属など導電性の素材で形成され、図２及び図３に示すように、基板４１の内側端から略直角に屈曲して保護板４２が上方へ延設され、基板４１の外側端から略直角に屈曲して調整板４３が上方へ延設され、調整板４３の上端から略直角に屈曲して固定板４４が外方へ延設されている。固定板４４の外側端は３つの分割片に分割され、外側の２つの分割片は支持片４５、中央の切り出された1つの分割片は挟持片４６を構成する。支持片４５は、固定板４４の外側端から略直角に屈曲して下方へ延設される。挟持片４６は、正面視略く字形であり、固定部４４の外側端から外方へ水平に延設される延在部４６１と、延在部４６１の外側端から斜め下方へ屈曲して延設される傾斜部４６２とで構成される。延在部４６１は、支持片４５の外側面と傾斜部４６２の内側面の略上端にバスダクト１０の第２補強板１４３の上端を圧入可能な長さで形成され、支持片４５の外側面と傾斜部４６２の内側面の略上端間の長さは第２補強板１４３の板厚と略同一か僅かに狭く形成される。傾斜部４６２は、下方へ向かうに従って外方へ向かうように傾斜して形成され、支持片４５の外側面と傾斜部４６２の内側面との間の離間距離が下方へ向かうに従って徐々に拡がるようになっている。また、固定板４４の平面視略中央には後述のボルト５１の軸部が挿通される挿通穴４４１が形成されている。
【００２７】
固定部材４０は、ボルト５１、ナット５２、ワッシャー５３で構成される取付具で支持部材３０に取り付けられ、ケーブル２０と各バスダクト１０との間にそれぞれ取り付けられる。支持部材３０の溝３１内にはボルト５１の頭部が配設されると共に、ボルト５１の頭部と上板３２との間にワッシャー５３が配設される。ワッシャー５３は略方形若しくは略円形であり、その幅若しくは径は溝３１の開放幅よりも長く形成され、ボルト５１の頭部及びワッシャー５３が溝３１から外へ抜けないようになっている。そして、支持部材３０の溝３１から上方へ突出するボルト５１の軸部を挿通穴４４１に挿通させ、第２補強板１４３を支持片４５と挟持片４６との間に入り込ませるようにして固定部材４０を第２補強板１４３に係合し、支持部材３０の上板３２の上面に基板４１の下面が電気的に導通可能に接触するようにして固定部材４０を配置する。固定部材４０の固定板４４から上方へ突出するボルト５１の軸部にはナット５２が螺合され、ボルト５１とナット５２の締め付けにより、支持部材３０と固定部材４０が固定される。更に、第２補強板１４３の上端近傍が支持片４５と挟持片４６とで挟持され、第２補強板１４３の上端が挟持片４６の延在部４６１や傾斜部４６２の上端近傍に当接して係止され、固定部材４０とバスダクト１０のハウジングが固定される。即ち、固定部材４０を介して支持部材３０とバスダクト１０のハウジングが固定される。尚、ボルト５１、ナット５２、ワッシャー５３は導電性の素材或いは非導電性の素材で形成することが可能である。
【００２８】
前記ボルト５１とナット５２の締め付けでは、上方へ向かうに従い徐々に幅狭となる支持片４５と挟持片４６との隙間に第２補強板１４３が徐々に入り込んで圧入されていき、第２補強板１４３の板厚よりも幅狭か略同一な支持片４５の外側面と傾斜部４６２の内側面の略上端間の位置で、支持片４５と挟持片４６、又は挟持片４６で第２補強板１４３の絶縁塗装面が剥ぎ取られて剥離すると共に、その導電性の基材が露出し、固定部材４０と第２補強板１４３の基材、即ちバスダクト１０の導電性のハウジング基材とが導通可能に接触し、更に、ボルト５１とナット５２の緊締による締付力で、固定部材４０とハウジング基材は常時接触するように付勢され、接触状態が安定して維持される。また、ボルト５１とナット５２の締め付けでは、固定部材４０の基板４１の下面と支持部材３０の上板３２の上面と導通可能に面接触し、同様に前記締付力により、基板４１の下面と上板３２の上面は常時接触するように付勢され、接触状態が安定して維持される。即ち、導電性の支持部材３０と導電性の固定部材４０と接地されるバスダクト１０のハウジング基材とで高い安定性の接地線路を形成することができる。尚、ボルト５１、ナット５２、ワッシャー５３を導電性の素材で形成する場合には、前記締め付けにより、内方へ傾斜する上板３２の端部近傍がワッシャー５３にバネ性で付勢し、これらの取付具を介して支持部材３０と固定部材４０が接触して導通をより確実にすることができる。
【００２９】
第１実施形態のケーブル支持装置は、支持部材３０、固定部材４０、バスダクト１０のハウジングを有効利用し、簡単な構造のケーブルの接地線路を形成することができる。また、前記接地線路に於ける接続箇所の接触状態は高い安定性で維持されるので、接地線路の接地の安定性が向上する。また、固定部材４０を係合してハウジングに取り付けるので固定が容易である。また、固定部材４０の係合と締め付けで絶縁塗装を剥離できるので、固定部材４０とハウジング基材を容易に接触させることができる。また、既設の２系統のバスダクト幹線路にも適用することができる。更に、ケーブル２０の両側に配置される固定部材４０・４０の保護板４２・４２の内面が、ケーブル２０がバスダクト１０の方向へ移動することを規制する移動規制部となり、バスダクト１０の熱でケーブル２０の絶縁被覆が損傷することや、ケーブル２０を布設する際にバスダクト１０や固定部材４０を取り付けたボルト５１及びナット５２等と接触して絶縁被覆が損傷することを防止し、ケーブル２０を保護することができ、更には、別部材を用いずともケーブル２０とバスダクト１０との間を仕切ることができる。また、固定部材４０を係合してハウジングに取り付けるので固定が容易である。
【００３０】
〔第２実施形態〕
次に、第２実施形態のケーブル支持装置について、上記第１実施形態と異なる箇所の詳細を説明する。図４〜図７は第２実施形態のケーブル支持装置に関し、図４は第２実施形態のケーブル支持装置にケーブルを布設した状態を示す図、図５はその固定部材を示す図、図６は保護部材を示す図、図７はその固定部材及び保護部材の固定前と固定後の状態を示す図である。
【００３１】
第２実施形態に於けるバスダクト１０、ケーブル２０、支持部材３０、ボルト５１、ナット５２、ワッシャー５３の各構成や配置形態は、図４及び図７に示すように第１実施形態と同様である。
【００３２】
固定部材４０ａは、金属など導電性の素材で形成され、図５及び図７に示すように、平面視略中央にボルト５１の挿通穴４１１ａが形成されている固定板４１ａを有し、固定板４１ａの内側端から略直角に屈曲して支持片４２ａが下方へ延設され、支持片４２ａは支持部材３０の溝３１の幅よりも幅広に形成されている。固定板４１ａの正面側及び背面側の各端部から略直角に屈曲して挟持片４３ａが下方へ延設されている。挟持片４３ａには略直角三角形の切欠４３１ａが形成され、切欠４３１ａは、略下端から上方へ垂直に延びる垂直辺４３２ａと、垂直辺４３２ａの略上端から僅かに水平に延び、更に内側下方へ向かって傾斜する傾斜辺４３３ａとを有する。垂直辺４３２ａの高さは第２補強板１４３の高さと略同一に設定され、傾斜辺４３３ａの傾斜角度は後述する第２補強板１４３ａの上端と保護部材６０の被挟持片６２の上端の高低差に合うように設定されている。
【００３３】
保護部材６０は、図６及び図７に示すように、平面視の外側端近傍にボルト５１の挿通穴６１１が形成されている基板６１を有し、基板６１の外側端から略直角に屈曲して被挟持片６２が上方へ延設され、被挟持片６２の高さは第２補強板１４３よりも若干低く形成されている。基板６１には、その内側端から略直角に屈曲して保護板６３が上方へ延設されている。保護部材６０の前後に位置する保護板６３の両側端から略直角に屈曲して安全片６４が外方へ延設されており、安全片６４の下端は基板６１の下面より下方まで垂下延設されている。尚、保護部材６０は導電性若しくは非導電性の素材で形成することが可能であるが、少なくともボルト５１、ワッシャー５３が非導電性の素材で形成される場合には導電性の素材で形成し、又、ボルト５１、ワッシャー５３が導電性の素材で形成されて支持部材３０と導通可能に接触する場合には非導電性の素材で形成することが可能である。
【００３４】
保護部材６０は、図７に示すように第１実施形態と同様に上方へ突出するボルト５１の軸部を、基板６１の挿通穴６１１を挿通するようにして配置され、基板６１の下面が支持部材３０の上板３２の上面に沿うように接触し、被挟持片６２の外面がバスダクト１０の第２補強部１４３の外面と接触し、安全片６４の下部が支持部材３０の両外側に配置され、安全片６４の下端が支持部材３０の上端よりも下方に位置するようにして移動規制し、保護部材６０が配置される。更に、保護部材６０の上側から、前記ボルト５１の軸部を挿通穴４１１ａに挿通するようにして固定部材４０ａが配置され、支持片４２ａの下端と挟持片４３ａの切欠４３１ａよりも内側の下端は基板６１上に載置され、挟持片４３ａの切欠４３１ａよりも外側の下端はバスダクト１０の第１補強板１４２上に載置され、正面視で、固定部材４０ａの切欠４３１ａ内に第２補強板１４３と被挟持片６２とが一括して収容される。前記収容される第２補強板１４３の上端、被挟持片６２の上端は傾斜辺４３３ａと当接する。
【００３５】
更に、固定部材４０ａの固定板４１ａから上方へ突出するボルト５１の軸部にナット５２を螺合して締め付けられる。前記ナット５２の締め付けにより、切欠４３１ａの傾斜辺４３３ａでバスダクト１０の第２補強板１４３の上端及び被挟持片６２の上端が押圧されて、第２補強板１４３の外面と被挟持片６２の外面とが当接するように付勢されると共に、第２補強板１４３の上端近傍の絶縁塗装が剥離されて、第２補強板１４３の露出する導電性の基材と固定部材４０ａとが導通可能に接触し、常時接触するように付勢される。即ち、導電性の支持部材３０と、導電性のボルト５１及びワッシャー５３若しくは導電性の保護部材６０と、導電性の固定部材４０ａと、接地されるバスダクト１０のハウジング基材とで高い安定性の接地線路を形成することができる。
【００３６】
第２実施形態のケーブル支持装置は、支持部材３０、取付具若しくは保護部材６０、固定部材４０ａ、バスダクト１０のハウジングを有効利用し、簡単な構造のケーブルの接地線路を形成することができる。また、前記接地線路に於ける接続箇所の接触状態が高い安定性で維持され、接地線路の接地の安定性が向上する。また、固定部材４０ａを係合してハウジングに取り付けるので固定が容易である。また、固定部材４０ａの係合と締め付けで絶縁塗装を剥離できるので、固定部材４０ａとハウジング基材を容易に接触させることができる。また、既設の２系統のバスダクト幹線路にも適用することができる。また、ケーブル２０の両側に配置される保護部材６０・６０の保護板６３・６３の内面がケーブル２０の移動規制部となり、ケーブル２０を保護することができ、安全なケーブル布設等が可能となる。また、ケーブル２０が張設されるなど移動規制が不要で保護部材６０を設けない場合にも、同一の固定部材４０ａを用いて対応することができる。尚、保護部材６０を設けない場合には、固定部材４０ａによる第２補強板１４３への押圧力が向上し、より確実且つ安定して固定部材４０ａと第２補強板１４３の導電性基材とを接触することができる。また、切欠４３１ａの垂直辺４３２ａの高さを第２補強板１４３の高さと略同一とし、傾斜辺４３３ａの傾斜角度を第２補強板１４３の高さと被挟持片６２の高さの高低差に合わせて形成することにより、バスダクト１０の第１補強板１４２及びスペーサ１３と、これに接触する支持部材３０が離間することを防止できる。また、固定部材４０ａの支持片４２ａを支持部材３０の幅３１よりも幅広にすることで、固定部材４０ａや保護部材６０の固定状態の安定化を図ることができる。
【００３７】
〔実施形態の変形例等〕
本発明は、上記第１、第２実施形態のケーブル支持装置やその電気線路構造の例に限定されるものではなく、例えば以下のような拡張や変形の例も包含し、更に、各例の構成を部分的に削除したものや、各例の構成やその部分的な構成を適宜組み合わせたものも包含する。
【００３８】
本発明に於けるバスダクトの構成は適宜であり、例えば絶縁被覆導体１２を並設するバスダクト１０以外にも、裸導体を一定距離離間して複数並設し、空気で各相間を絶縁する所謂空気絶縁タイプのバスダクト等としてもよい。また、ケーブル支持装置を設けるバスダクトは水平に布設されるものに限定されず、垂直布設されるバスダクトでもよい。垂直に並設されるバスダクトにケーブル支持装置を設ける場合には、例えば垂直布設されたバスダクト１０に各例の支持部材３０等を固定部材４０等で固定すると共に、固定部材４０の保護板４２・４２間等若しくは保護部材６０の保護板６３・６３間等に略コ字形の板材を架設し、前記板材の側板を保護板４２等にビス止めで固定する等で前記板材を固着し、前記板材の基板と支持部材３０等とで垂直布設されるケーブル２０を挟持して支持する構成としてもよく、前記板材の挟持部材に代えて、固定部材４０等若しくは保護部材６０等に保護板４２、６３等の先端から内方へ屈曲する屈曲片など、支持部材３０等とでケーブル２０を挟持する挟持部を設けてもよい。
【００３９】
また、本発明に於ける固定部材には、バスダクトの塗装を剥離し、支持部材を固定可能な適宜の構成が含まれ、上記構成以外にも、例えば図８、図９に示す固定部材４０ｂとしてもよい。固定部材４０ｂは、金属など導電性の素材で形成されており、平面視略中央にボルト５１の軸部が挿通される挿通穴４１１ｂが形成された基板４１ｂを有し、基板４１ｂの内側端から略直角に屈曲して保護板４２ｂが上方へ延設され、基板４１ｂの外側端に略逆Ｕ字形の鉤状で第２補強板１４３に係合可能な係合部４３ｂが形成されている。固定部材４０ｂは、ボルト５１の軸部を挿通穴４１１ｂに挿通して、基板４１ｂの下面が支持部材３０の上板３２の上面に接触するように配置されると共に、係合部４３ｂを第２補強板１４３に係合するように配置される。そして、基板４１ｂの上側からボルト５１の軸部に螺合されるナット５２とボルト５１が締め付けられることにより、基板４１ｂの下面が支持部材３０の上板３２の上面に略面接触されると共に、第２補強板１４３の略上端に係合部４３ｂの内側の上端近傍に押圧されて、第２補強板１４３の絶縁塗装が剥離され、露出した導電性のハウジング基材と係合部４３ｂが導通可能に接触され、バスダクト１０のハウジング、固定部材４０ｂ、支持部材３０が固定される。固定部材４０ｂは、簡単な形状で、安価に製造することが可能である。
【００４０】
また、固定部材を取り付ける箇所は適宜であり、上記バスダクト１０の内側の第２補強板１４３に固定部材４０等を取り付ける構成以外に、例えば支持部材３０等をバスダクト１０・１０の両外端より外方まで突出して設け、バスダクト１０の内側と外側の両方の第２補強板１４３・１４３に固定部材４０・４０を設ける構成や、或いはバスダクト１０の外側の第２補強板１４３に固定部材４０を設ける構成としてもよい。前記内側と外側に固定部材４０・４０を取り付ける場合には、バスダクト１０のハウジングの絶縁塗装剥離によるハウジング基材の露出箇所が増え、前記露出箇所の接触で導通、接地をより確実にすることができると共に、バスダクト１０と支持部材３０の固定強度やケーブル２０の支持強度を高めることができる。
【００４１】
また、図８、図９の固定部材４０ｂの保護板４２ｂに相当する部分を別体の保護部材で構成してもよい。例えば図１０に示すように、導電性の固定部材４０ｃを、ボルト５１の軸部が挿通される挿通穴４１１ｃが形成された基板４１ｃを有し、基板４１ｃの外側端に略逆Ｕ字形の鉤状で第２補強板１４３に係合可能な係合部４２ｃが形成され、保護板を有しないものとする。保護部材６０ａを、ボルト５１の軸部が挿通される挿通穴６１１ａが形成された基板６１ａを有し、基板６１ａの内側端から略直角に屈曲して保護板６２ａが上方へ延設される正面視略Ｌ字形とする。そして、固定部材４０ｃが下側、保護部材６０ａが上側になるようにして、ボルト５１の軸部を挿通穴４１１ｃ、６１１ａに挿通し、上板３２の上面に下面が接触する基板４１ｃ上に基板６１ａが積層されるように配置され、係合部４２ｃが第２補強板１４３に係合するように配置される。更に、基板６１ａの上側からボルト５１の軸部に螺合されるナット５２とボルト５１が締め付けられ、固定部材４０ｃと保護部材６０ａがまとめて締着されることにより、基板４１ｃの下面が支持部材３０の上板３２の上面に略面接触され、上記固定部材４０ｂと同様に、第２補強板１４３の絶縁塗装が剥離され、露出した導電性のハウジング基材と係合部４２ｃが導通可能に接触され、バスダクト１０のハウジング、固定部材４０ｃ、保護部材６０ａ、支持部材３０が固定される。固定部材４０ｃ、保護部材６０ａは、簡単な形状で、安価に製造することが可能である。更に、図１０の保護部材６０ａの基板６１ａの前後に直線状に延びる外端縁と、係合部４２ｃの外周面の前後に直線状に延びる立ち上がり部分を略当接する構成など、保護部材の基板の外端縁を固定部材の係合部の立ち上がり部分で係止する構成とすると、保護部材の回転を防止できて好適である。
【００４２】
また、本発明に於ける固定部材、保護部材は、各バスダクト１０に対して１対１で設けられる構成に限定されず、例えば固定部材４０の基板４１を保護板４２よりも水平に内側へ延ばして他方の固定部材４０の基板４１に連設する形状や、保護部材６０ａの基板６１ａを保護板６２ａよりも水平に内側へ延ばして他方の保護部材６０ａの基板６１ａに連設する形状など、２系統など複数のバスダクトに対して設けられる固定部材や保護部材を一体化したものとしてもよい。
【００４３】
また、本発明に於ける支持部材は、離間して複数設けられるバスダクトの架設可能な適宜の位置に架設することが可能であり、上記バスダクト１０の下面に接して下側に支持部材３０を架設する構成以外に、例えば図１１に示すように、バスダクト１０の上面に接して上側に支持部材３０ａを設けてもよい。図１１の導電性の支持部材３０ａは、下面に長手方向に沿って溝が形成された断面視略Ｃ字形のチャンネル部材であり、前記溝の両側の下板３１ａと、側板３２ａと、上板３３ａとを有し、上板３３ａの所定箇所には円形の穴若しくは支持部材３０ａの長手方向に長い長穴であるボルト５１の軸部の挿通穴が形成されている。バスダクト１０・１０は２系統で水平に並設され、図示しない取付具でビル内等に取り付けられて、支持部材３０ａの長手方向の両側の下側、図示例では両端近傍の下側に位置し、支持部材３０ａは、その下板３１ａの下面をバスダクト１０の上側の第１補強部１４２の上面及びスペーサ１３の上面に接触するようにして載置され、架設されている。
【００４４】
図１１の導電性の固定部材４０ｄは、第１実施形態の固定部材４０の基板４１、保護板４２を有しない形状であり、先端が支持部材３０ａと当接する調整板４１ｄと、第１実施形態の固定部材４０と同様の固定板４２ｄ、挿通穴４２１ｄ、支持片４３ｄ、延在部と傾斜部で構成される挟持片４４ｄを有する。図１１のＬ字形の保護部材６０ａは図１０の保護部材６０ａと同一構成である。保護部材６０ａは支持部材３０ａの上側に配置され、保護板６２ａを内側にし、挿通穴６１１ａと上板３３ａの挿通穴が連通するように基板６１ａが上板３３ａに載置される。前記連通する挿通穴６１１ａと上板３３ａの挿通穴には上側からワッシャー５３を介してボルト５１が挿通され、ボルト５１の軸部は支持部材３０ａの下板３１ａ間の溝から下方へ突出する。固定部材４０ｄは、挿通穴４２１ｄに前記突出するボルト５１の軸部が挿通されるようにして支持部材３０ａの下側に配置され、調整板４１ｄの上端が支持部材３０ａの下板３１ａの下面に当接すると共に、第２補強板１４３を支持片４３ｄと挟持片４４ｄとの間に入り込ませるようにして第２補強板１４３に係合される。そして、固定板４２ｄの下側から螺合されるナット５２とボルト５１が締め付けられて、第２補強板１４３の絶縁塗装面が剥ぎ取られて剥離し、その露出する導電性の基材と導電性の固定部材４０ｄが導通可能に接触され、支持部材３０ａ、固定部材４０ｄ、保護部材６０ａ、バスダクト１０が固定される。これにより、支持部材３０ａ上に一対の保護部材６０ａ・６０ａで移動規制されて載置されるケーブル２０に対し、支持部材３０ａ、固定部材４０ｄ若しくはボルト５１と固定部材４０ｄ、バスダクト１０のハウジング基材で構成される接地線路が形成される。
【００４５】
図１１の如く、支持部材３０ａをバスダクト１０の上側に載置して設ける場合、支持部材３０ａやケーブル２０等の重量をバスダクト１０の側板１４・１４やスペーサ１３の全体で支持することができ、第１補強板１４２の強度等が低い場合にも、支持部材３０ａやケーブル２０等を安定して支持することができる。更に、より多数のケーブル２０を支持することも可能となる。
【００４６】
尚、その他に、例えば後述の図１４のようにバスダクト１０の下端より上方の下部に支持部材を設ける構成や、或いは前記図１４の上下対称位置に設け、バスダクト１０の上端より下方の上部に支持部材を架設する構成としてもよい。また、例えば図１と図１１の必要な構成を適宜使用し、バスダクト１０の上側と下側に支持部材３０ａ、３０を配設し、支持部材３０ａ、３０にケーブル２０をそれぞれ載置する等により、バスダクト１０の上下に支持部材を配設し、上下にケーブル２０を布設する構成としてもよい。また、図１１に於いて、一部若しくは全部の支持部材３０ａを長くしてバスダクト１０・１０の両外側まで突出させ、各バスダクト１０の内側と外側に固定部材４０ｄを設けて固定し、その外側の支持部材３０ａの端部近傍に吊りボルトを取り付け、バスダクト１０を吊り下げ固定する構成としてもよく、前記構成により、バスダクト１０を吊り下げ支持する支持部材３０ａをケーブル２０を支持する支持部材３０ａとして共用することができ、コスト低減を図ることができると共に、バスダクト１０を支持する支持部材３０ａと同一高さでケーブル２０を支持することができる。
【００４７】
また、支持部材の長さ、複数系統離間して並設されるバスダクトの系統数は適宜であり、３系統以上の複数系統のバスダクトに１本の支持部材を架設する構成としてもよい。例えば図１２に示すように、第２実施形態と同一構成の長めの支持部材３０を用い、３系統で離間して並設されているバスダクト１０に対して１本の支持部材３０を架設し、支持部材３０を各バスダクトに固定部材４０ａで固定している。図１２の両外側のバスダクト１０は内側の第２補強部１４３を固定部材４０ａで固定され、中央のバスダクト１０は内側と外側の第２補強板１４３・１４３を固定部材４０ａ・４０ａで固定されているが、その固定箇所は適宜である。図１２の他の構成は第２実施形態と同一であり、６０は保護部材である。
【００４８】
また、第２実施形態の固定部材４０ａに保護板に相当する部分を一体形成してもよく、例えば図１３に示すように、固定部材４０ａの支持片４２ａの略中央箇所を切り出し上方に立ち上げて保護片４４ａとする構成や、或いは支持片４２ａを固定板４１ａより上方へそのまま延長して突出する保護部を設ける構成とすることが可能である。
【００４９】
また、本発明に於ける別例のケーブル支持装置及びその電気幹線構造として、図１４及び図１５に示す構成としてもよい。図１４のバスダクト１０ａは、バスダクトユニット１１ａを上記第１実施形態に於ける接続部で接続するものであり、バスダクトユニット１１ａの導電性のハウジング基材と前記接続部の導電性のカバー基材が導通可能に接続され、前記ハウジング基材或いはカバー基材が接地されることで、バスダクト１０ａのハウジング基材及びカバー基材の全体が接地される。バスダクトユニット１１ａは、積層配置された３相の絶縁被覆導体１２ａを一対のハウジング半体１３ａ・１３ａをリベット等で結合して構成されるハウジング内に収容するものである。ハウジング半体１３ａは、導電性のハウジング基材に絶縁塗装を施して形成され、断面視略コ字形の収納凹部１３１ａと、収納凹部１３１ａの両端から外方へ延びるフランジ１３２ａと、フランジ１３２ａの先端に設けられる断面視略コ字形の補強部１３３ａを有し、補強部１３３ａの先端に係合部１３４ａが形成されている。ハウジング半体１３ａ・１３ａは、収納凹部１３１ａ・１３１ａ内に積層配置の絶縁被覆導体１２を収納しながら段差状の係合部１３４ａ・１３４ａを係合して対向配置され、密接するフランジ１３２ａ・１３２ａをリベット等で結合して一体化される。
【００５０】
支持部材３０ｂは、導電性の素材で形成された側面視略コ字形であり、下板３１ｂと側板３２ｂとを有し、下板３１ｂの所定箇所にはボルト５１ａの軸部を挿通する挿通穴３１１ｂが形成されている。ボルト５１ａ、ナット５２ａはそれぞれ導電性の素材で形成され、ボルト５１ａの頭部下側にはバネ性を有する鍔状若しくは放射片状の当接部５１１ａが形成されている。固定部材４０ｅは、導電性の素材で形成され、ボルト５１ａの軸部の挿通穴４１１ｅが形成されている矩形の基板４１ｅと、基板４１ｅの外側端から略直角に上方へ屈曲して形成される位置決め片４２ｅと、基板４１ｅの内側端から略直角に上方へ屈曲して形成される支持片４３ｅと、基板４１ｅの前端及び後端から略直角に上方へ屈曲して形成され、且つ支持片４３ｅの上端から基板４１ｅの略中央に向かって傾斜する傾斜片４４ｅとを有する。
【００５１】
支持部材３０ｂは、離間して並設されるバスダクト１０ａ・１０ａの内側の補強部１３３ａ・１３３ａに載置されるように架設され、支持部材３０ｂの端部は内側の収納凹部１３１ａの下面と補強部１３３ａの上面との間に入り込むように配置される。ボルト５１ａは、上側から軸部を下板３１ｂの挿通穴３１１ｂに挿通するように配置され、前記軸部が下板３１ｂの下方へ突出されると共に、当接部５１１ａの下端が下板３１ｂの上面に当接される。固定部材４０ｅは、挿通穴４１１ｅに下方へ突出するボルト５１ａの軸部を挿通するようにして配置され、下側に位置する断面視略ロ字形の一対の補強部１３３ａ・１３３ａの外側に位置決め片４２ｅが配置される。そして、挿通穴４１１ｅから下方へ突出するボルト５１ａの軸部にナット５２ａを螺合され、ボルト５１ａとナット５２ａの締め付けにより、支持部材３０ｂと固定部材４０ｅが固定され、位置決め片４２ｅと基板４１ｅと傾斜片４４ｅで断面視ロ字形の補強部１３３ａ・１３３ａを把持するように補強部１３３ａと固定部材４０ｅが固定される。更に、傾斜片４４ｅが内側下端に位置する補強部１３３ａを押圧して絶縁塗装を剥離し、傾斜片４４ｅとハウジング半体１３ａの導電性のハウジング基材が導通可能に接続され、バネ性の当接部５１１ａの下端が付勢して支持部材３０ｂの下板３１ｂの上面に当接され、支持片４３ｅの上端が下板３１ｂの下面に当接される。これにより、支持部材３０ｂ、固定部材４０ｅ若しくはボルト５１と固定部材４０ｅ、バスダクト１０ａのハウジング基材で構成される接地線路が形成される。
【００５２】
更に、上記固定部材４０ｅの変形例として、傾斜片４４ｅを設ける代わりに、固定部材４０ｅの基板４１ｅの挿通穴４１１ｅよりも外側位置に、例えば下方から押圧して穴４５ｅや凹部を形成することで形成されるバリなど、上方へ突出する凸部４６ｅを形成し、凸部４６ｅをバスダクト１０ａの補強部１３３ａの下面に押圧して絶縁塗装を剥離し、バスダクト１０ａのハウジング基材と固定部材４０ｅが導通可能に接触させて、接地線路を形成するようにしてもよい。
【産業上の利用可能性】
【００５３】
本発明は、バスダクト間でケーブルを支持する電気線路構造に利用することができる。
【図面の簡単な説明】
【００５４】
【図１】（ａ）は第１実施形態のケーブル支持装置にケーブルを布設した状態を示す平面図、（ｂ）は同図（ａ）の状態の縦断正面図、（ｃ）は同図（ｂ）のＡ−Ａ線矢視断面図。
【図２】（ａ）は第１実施形態に於ける固定部材の平面図、（ｂ）は同図（ａ）の固定部材の正面図、（ｃ）は同図（ｂ）の固定部材の左側面図。
【図３】（ａ）は第１実施形態に於ける固定部材の固定前の状態を示す一部拡大縦断正面図、（ｂ）は同図（ａ）の固定後の状態を示す一部拡大縦断正面図。
【図４】（ａ）は第２実施形態のケーブル支持装置にケーブルを布設した状態を示す平面図、（ｂ）は同図（ａ）の状態の縦断正面図、（ｃ）は同図（ｂ）のＡ−Ａ線矢視断面図。
【図５】（ａ）は第２実施形態に於ける固定部材の平面図、（ｂ）は同図（ａ）の固定部材の正面図、（ｃ）は同図（ａ）の固定部材の左側面図。
【図６】（ａ）は第２実施形態に於ける保護部材の平面図、（ｂ）は同図（ａ）の固定部材の正面図、（ｃ）は同図（ａ）の固定部材の左側面図。
【図７】（ａ）は第２実施形態に於ける固定部材及び保護部材の固定前の状態を示す一部拡大縦断正面図、（ｂ）は同図（ａ）の固定後の状態を示す一部拡大縦断正面図。
【図８】（ａ）は変形例の固定部材の平面図、（ｂ）は同図（ａ）の固定部材の正面図、（ｃ）は同図（ａ）の固定部材の左側面図。
【図９】（ａ）は図８の固定部材の固定前の状態を示す一部拡大縦断正面図、（ｂ）は同図（ａ）の固定後の状態を示す一部拡大縦断正面図。
【図１０】（ａ）は更なる変形例の固定部材及び保護部材の固定前の状態を示す一部拡大縦断正面図、（ｂ）は同図（ａ）の固定後の状態を示す一部拡大縦断正面図。
【図１１】（ａ）は変形例のケーブル支持装置を示す縦断正面図、（ｂ）は同図（ａ）の一部拡大縦断正面図。
【図１２】更なる変形例のケーブル支持装置を示す縦断正面図。
【図１３】（ａ）は更なる変形例の固定部材を示す平面図、（ｂ）は同図（ａ）の固定部材の正面図、（ｃ）は同図（ａ）の固定部材の左側面図。
【図１４】（ａ）は更なる変形例の固定部材の固定前の状態を示す一部拡大縦断正面図、（ｂ）は同図（ａ）の固定後の状態を示す一部拡大縦断正面図。
【図１５】（ａ）は図１４の固定部材の平面図、（ｂ）は同図（ａ）の固定部材の正面図、（ｃ）は同図（ａ）の固定部材の左側面図。
【図１６】（ａ）は更なる変形例の固定部材の固定前の状態を示す一部拡大縦断正面図、（ｂ）は同図（ａ）の固定後の状態を示す一部拡大縦断正面図。
【図１７】（ａ）は図１６の固定部材の平面図、（ｂ）は同図（ａ）の固定部材の正面図、（ｃ）は同図（ａ）の固定部材の左側面図。
【符号の説明】
【００５５】
１０、１０ａ…バスダクト  １１、１１ａ…バスダクトユニット  １２、１２ａ…絶縁被覆導体  １３…スペーサ  １４…側板  １４１…基板  １４２…第１補強板  １４３…第２補強板  １５…ボルト  １６…ナット  １３ａ…ハウジング半体  １３１ａ…収納凹部  １３２ａ…フランジ  １３３ａ…補強部  １３４ａ…係合部  ２０…ケーブル  ３０、３０ａ、３０ｂ…支持部材  ３１…溝  ３２、３３ａ…上板  ３３、３２ａ、３２ｂ…側板  ３４、３１ａ、３１ｂ…下板  ３１１ｂ…挿通穴  ４０、４０ａ、４０ｂ、４０ｃ、４０ｄ、４０ｅ…固定部材  ４１、４０ｂ、４１ｃ、４１ｅ…基板  ４２、４２ｂ…保護板  ４３、４１ｄ…調整板  ４４、４１ａ、４２ｄ…固定板  ４４１、４１１ａ、４１１ｂ、４１１ｃ、４２１ｄ、４１１ｅ…挿通穴  ４５、４２ａ、４３ｄ、４３ｅ…支持片  ４６、４３ａ、４４ｄ…挟持片  ４６１…延在部  ４６２…傾斜部  ４３１ａ…切欠  ４３２ａ…垂直辺  ４３３ａ…傾斜辺  ４４ａ…保護片  ４３ｂ、４２ｃ…係合部  ４２ｅ…位置決め片  ４４ｅ…傾斜片  ４５ｅ…穴  ４６ｅ…凸部  ５１、５１ａ…ボルト  ５２、５２ａ…ナット  ５３…ワッシャー  ５１１ａ…当接部  ６０、６０ａ…保護部材  ６１、６１ａ…基板  ６１１、６１１ａ…挿通穴  ６２…被挟持片  ６３、６２ａ…保護板  ６４…安全片
【図１】
2008178231.tif 000003
【図２】
2008178231.tif 000004
【図３】
2008178231.tif 000005
【図４】
2008178231.tif 000006
【図５】
2008178231.tif 000007
【図６】
2008178231.tif 000008
【図７】
2008178231.tif 000009
【図８】
2008178231.tif 000010
【図９】
2008178231.tif 000011
【図１０】
2008178231.tif 000012
【図１１】
2008178231.tif 000013
【図１２】
2008178231.tif 000014
【図１３】
2008178231.tif 000015
【図１４】
2008178231.tif 000016
【図１５】
2008178231.tif 000017
【図１６】
2008178231.tif 000018
【図１７】
2008178231.tif 000019